(57)【特許請求の範囲】
【請求項１】
メッシュ間仕切りにおけるメッシュの取付構造において、
メッシュは、複数の線材から網目状に形成され、周縁が線材からなる縁付きメッシュであり、
メッシュが取り付けられる枠体の内側面は、第１見込面と第１立ち上がり部とを備えており、
前記枠体の内側面には、第２見込面と第２立ち上がり部とを備えた固定部材が、第１立ち上がり部と第２立ち上がり部との間にメッシュの周縁領域を挟んだ状態で、第２見込面を第１見込面に締結部材で止着することで、着脱自在に固定されており、
前記第１立ち上がり部と前記第２立ち上がり部には、いずれか一方に係止受孔が、他方にメッシュの面方向に対して垂直状に延出する係止突片が設けてあり、前記係止突片の幅寸法は、メッシュの網目よりも小さい寸法を備えており、前記係止突片が、メッシュの周縁領域の網目を挿通して前記係止受孔に差し込まれている、
メッシュの取付構造。
【発明の詳細な説明】
【技術分野】
【０００１】
本発明は、メッシュ間仕切りにおけるメッシュの取付構造に関するものである。
【背景技術】
【０００２】
室内空間を区画する間仕切り装置の一つとして、区画された内部の状況を外部から可視化できるようなメッシュ間仕切り装置がある。メッシュ間仕切り装置は、好適には、大型コンピュータが設置されたコンピュータルームの間仕切りとして用いられている。
【０００３】
メッシュ間仕切り装置及びメッシュパネルが特許文献１に記載されている。特許文献１において、両側桟と上下桟から成る枠体にメッシュを取付けたメッシュパネルは、各桟の内片には穴を貫通して設け、メッシュを構成する各線材の先端部を上記穴に挿通すると共に、上記桟の穴に挿通した先端部を裏側にて溶接することで形成されている。
【０００４】
しかしながら、メッシュの線材を枠体に溶接するものでは、溶接作業に手間を要するのみならず、メッシュが破損したり変形したりした場合には、メッシュ単体ではなくメッシュパネル全体を交換する必要があった。
【特許文献１】特開２００３−６４８１１号
【発明の開示】
【発明が解決しようとする課題】
【０００５】
本発明は、枠体へのメッシュの取り付けの作業性を向上させると共に、メッシュ単体の交換を可能とするメッシュの取付構造を提供することを目的とする。
【課題を解決するための手段】
【０００６】
本発明は、メッシュ間仕切りにおけるメッシュの取付構造において、メッシュは、複数の線材から網目状に形成され、周縁が線材からなる縁付きメッシュであり、メッシュが取り付けられる枠体の内側面は、第１見込面と第１立ち上がり部とを備えており、前記枠体の内側面には、第２見込面と第２立ち上がり部とを備えた固定部材が、第１立ち上がり部と第２立ち上がり部との間にメッシュの周縁領域を挟んだ状態で、第２見込面と第１見込面に締結部材で止着することで、着脱自在に固定されており、前記第１立ち上がり部と前記第２立ち上がり部には、いずれか一方に係止受孔が、他方にメッシュの面方向に対して垂直状に延出する係止突片が設けてあり、前記係止突片の幅寸法は、メッシュの網目よりも小さい寸法を備えており、前記係止突片が、メッシュの周縁領域の網目を挿通して前記係止受孔に差し込まれていること、を特徴としている。典型的な態様では、メッシュは、経緯方向に延出する複数の線材から網目状に形成されているが、線材の延出方向は経緯方向に限定されるものではなく、例えば、傾斜方向の延出や湾曲状に延出するものでもよい。前記締結部材は、典型的な態様では螺子であるが、ブラインドリベット等の取り外し可能な他の締結部材でもよい。また、後述する実施形態では、前記係止受孔の幅寸法も、メッシュの網目よりも小さい寸法を備えている。
【０００７】
後述する実施形態では、メッシュが取り付けられる枠体の内側面は、第１見込面と第１立ち上がり部とからなり、第１立ち上がり部には、長さ方向に間隔を存して複数の係止受孔が形成されている。前記固定部材は、第２見込面と第２立ち上がり部とからなり、第２立ち上がり部には、長さ方向に間隔を存して複数の係止突片がメッシュの面方向に対して垂直状に形成されている。これとは逆に、第１立ち上がり部に、長さ方向に間隔を存して複数の係止突片をメッシュの面方向に対して垂直状に形成し、第２立ち上がり部に、長さ方向に間隔を存して複数の係止受孔が形成してもよい。
【０００８】
枠体の内側面を形成する第１見込面及び第１立ち上がり部は、枠体と一体形成されてもよいが、後述する実施形態では、第１見込面と第１立ち上がり部とからなる別部材を、例えば螺子を用いて、枠体の見込面に固定している。別部材を用いて第１見込面及び第１立ち上がり部を形成することで、枠本体の形状にかかわらずに、メッシュを取り付けることができる。
【発明の効果】
【０００９】
本発明では、メッシュの周縁領域が、第１立ち上がり部と第２立ち上がり部との間に挟持された状態で、係止突片が、メッシュ周縁領域の網目を挿通して係止受孔に差し込まれているので、係止突片が縁の線材に係止するフックとして機能することで、メッシュの線材を溶接することなく、メッシュ周縁領域の抜けを防止している。
【００１０】
枠体へのメッシュの取り付けに溶接が不要なので、メッシュ取付作業の作業性が向上し、また、製作工程が少なくなることから製品のコスト低下をもたらす。
【００１１】
枠体へのメッシュの取り付けは、螺子を用いた固定部材の取り付け、係止突片と係止受孔の係止のみなので、メッシュ単体の交換を容易に行うことができる。
【発明を実施するための最良の形態】
【００１２】
図１は、メッシュ間仕切り装置の正面図であって、左図が外部側から見た正面図、右図が内部側から見た正面図である。図１に示すように、メッシュ間仕切り装置は、枠体１と、枠体１内に張設されたメッシュ２と、から構成されている。図示の例では、上下に寸法・形状が異なる２つの枠体１，１が形成されており、それぞれの枠体１，１内にメッシュ２，２が張設されている。
【００１３】
枠体１は、上下の横枠３，３と、左右の縦枠４，４とから四周状に形成されている。枠体１は室内の所定部位を区画するように設置される。例えば、縦枠４の上端は天井面に、下端は床面に固定され、横枠の端部は壁面に固定される。図示の態様では、上側の枠体１の下枠と下側の枠体１の上枠が同じ横枠３から兼用されており、また、縦枠４も兼用となっている。
【００１４】
図２に示すように、メッシュ２は、経緯方向に延出する複数の線材から網目状に形成され、周縁が線材からなる方形状の縁付きメッシュである。より具体的には、メッシュ２は、縦方向に所定間隔を存して平行状に延出する複数の縦線材２０と、横方向に所定間隔を存して平行状に延出する複数の横線材２１と、からなり、かつ、メッシュ２の四周縁は、縦線材２０Ａ、横線材２１Ａから形成されている。
【００１５】
横枠３は、メッシュ２の幅方向に延出する長尺材であって、図４Ａ、図５、図６に示すように、外側見付面３０と、内側見付面３１と、見込面３２と、から断面視略コ字形状に形成されている。見込面３２には、後述する螺子８の逃げを確保する凹部３２０が形成されている。
【００１６】
縦枠４は、メッシュ２の高さ方向に延出する長尺材であって、図３Ａに示すように、外側見付面４０と、内側見付面４１と、見込面４２と、から断面視略コ字形状に形成されている。見込面４２には、後述する螺子８の逃げを確保する凹部４２０が形成されている。
【００１７】
四周状の枠体１を構成する横枠３、縦枠４は、それぞれ、内側面において、第１部材５、第２部材６、を備えている。第１部材５、第２部材６は、共に、横枠３，縦枠４の長さ方向に延出する長尺材である。
【００１８】
第１部材５は、横枠３の見込面３２、縦枠４の見込面４２に、それぞれ螺子７を用いて固定されている。第２部材６は、横枠３ないし縦枠４に固定されている第１部材５に対して螺子８を用いて着脱可能に固定されている。
【００１９】
第１部材５は、横枠３の見込面３２、あるいは、縦枠４の見込面４２に沿って延出する見込面５０と、見込面５０に対して垂直状にメッシュ２の面方向に突出する凸部５１を備えている。凸部５１は、内側の立ち上がり面５１０、外側の立ち上がり面５１１、上面５１２を備えた中空部である。凸部５１の立ち上がり面５１０は、メッシュ２の面方向に延出している。凸部５１は、第１部材５の長さ方向（メッシュ２の幅方向ないし高さ方向）に延出しており、凸部５１の立ち上がり面５１０には、長さ方向に間隔を存して複数のスリット（係止受孔）５２が形成されている。第１部材５は、見込面５０を横枠３の見込面３２、あるいは、縦枠４の見込面４２に重ね合わせて螺子７で見込面３２，４２に固定されている。
【００２０】
図示の態様では、枠体１とは別部材からなる第１部材５を示したが、第１部材５を、横枠３、縦枠４と一体的に形成してもよく、この場合には、第１部材５の見込面５０が、横枠３の見込面３２、縦枠４の見込面４２を形成する。すなわち、横枠３の見込面３２、縦枠４の見込面４２に凸部５１が突設されることになる。
【００２１】
第２部材６は、横枠３の見込面３２、あるいは、縦枠４の見込面４２に沿って延出する見込片６０と、見込片６０に対して垂直状に延出する立ち上がり片６１とから断面視Ｌ形状に形成されており、さらに、立ち上がり片６１には、長さ方向に間隔を存して、メッシュ２の面方向に対して垂直に突出する複数の係止突片６２が形成されている。係止突片６２間の間隔は、各係止突片６２が各スリット５２に対応するように、スリット５２間の間隔に合わせてある。
【００２２】
スリット５２、係止突片６２の幅寸法は、メッシュ２の網目Ｍ（図５参照）の寸法、すなわち、線材２０間の間隔Ｗ１（図１Ａ参照）、線材２１間の間隔Ｗ２（図１Ａ参照）、よりも小さい寸法となっている。スリット５２は、係止突片６２の断面形状・寸法よりも大きい形状・寸法を備えており、係止突片６２を受け入れることが可能となっている。一つの態様では、スリット５２の幅寸法を係止突片６２の幅寸法よりも余裕を持たせて大きく設定することで、取り付け時におけるメッシュ２の幅方向及び高さ方向のズレに対応することができる。例えば、スリット５２の一部が一つの網目Ｍから少しずれて、線材２０あるいは２１に被った場合であっても、それが余裕の範囲内であれば、メッシュ２をずらすことなく、係止突片６２をスリット５２に差し込むことができる。
【００２３】
図５、図６に示すように、メッシュ２の周縁領域を、第１部材５の凸部５１の立ち上がり面５１０にあてがった状態で、第２部材６の係止突片６２を、メッシュ２の面部に対して垂直方向から、メッシュ２の周縁領域の網目Ｍを挿通させて、第１部材５のスリット５２に差し込んで行き、第１部材５の凸部５１の立ち上がり面５１０と、第２部材６の立ち上がり片６１との間にメッシュ２の周縁領域を挟み込んだ状態で、重なり合った状態にある第２部材６の見込片６０と第１部材５の見込面５０を螺子８で固定する。図５、図６では、横枠（下枠）３に対するメッシュ２の周縁領域の取り付けを示したが、メッシュ２の取付構造は、横枠３、縦枠４共に同じである。横枠３及び縦枠４に対するメッシュ２の周縁領域の取り付けを図７に示す。図５、図６についての記載は、図７の説明に援用することができる。
【００２４】
本実施形態では、メッシュ２の周縁領域が、第１部材５の凸部５１の立ち上がり面５１０と、第２部材６の立ち上がり片６１との間に挟持された状態で、係止突片６２が、メッシュ周縁領域の網目Ｍ（網目Ｍを形成する少なくとも一つの辺が縦線材２０Ａあるいは横線材２１Ａである）を挿通してスリット５２に差し込まれているので、図６の状態、あるいは図７の右下図の状態において、メッシュ２が枠体１に対して面方向に移動した場合には、いずれかの縦線材２０Ａあるいは横線材２１Ａが係止突片６２に接触して係止することになり、メッシュ２の周縁領域の抜けを防止している。また、メッシュ２は、枠体１に対して、線材２０，２０Ａ，２１，２１Ａが係止突片６２に接触するまでの範囲で移動可能であるので、取付時の位置調節が可能である。また、メッシュ間仕切り装置を外側から見た場合には、凸部５１によって、螺子７、８の頭部が隠蔽されると共に、係止突片６２も凸部５１の中空部で隠蔽されているので、凸部５１の外側の立ち上がり面５１１が見えるのみであり、美観上も良好である。
【産業上の利用可能性】
【００２５】
本発明は、コンピュータ室等を区画する間仕切りとして用いることができる。
【図面の簡単な説明】
【００２６】
【図１】メッシュ間仕切り装置の正面図であって、左図が外部側から見た正面図、右図が内部側から見た正面図である。
【図１Ａ】図１右図の部分拡大図である。
【図２】図１におけるメッシュのみを示す図である。
【図３】メッシュ間仕切り装置の横断面図である。
【図３Ａ】図３の部分拡大図である。
【図４】メッシュ間仕切り装置の縦断面図である。
【図４Ａ】図４の部分拡大図である。
【図５】横枠に対するメッシュの周縁領域の取り付けを説明する図である。
【図６】横枠に対するメッシュの周縁領域の取り付けを説明する図である。
【図７】縦枠、横枠に対するメッシュの周縁領域の取り付けを説明する図である。
【符号の説明】
【００２７】
１  枠体
２  メッシュ
２０  縦線材
２０Ａ  縁の縦線材
２１  横線材
２１Ａ  縁の横線材
３  横枠
４  縦枠
５  第１部材
５０  見込面
５１０  立ち上がり面
５２  スリット
６  第２部材
６０  見込片
６１  立ち上がり片
６２  係止突片
【図１】
0004965484.tif 000002
【図１Ａ】
0004965484.tif 000003
【図２】
0004965484.tif 000004
【図３】
0004965484.tif 000005
【図３Ａ】
0004965484.tif 000006
【図４】
0004965484.tif 000007
【図４Ａ】
0004965484.tif 000008
【図５】
0004965484.tif 000009
【図６】
0004965484.tif 000010
【図７】
0004965484.tif 000011